(57)【要約】      （修正有）【課題】収納、携帯に便利で、紛失しにくい模様縫い用テンプレートを提供する。【解決手段】テンプレートは異なる外径の第一、第二テンプレートＣ１、Ｃ２を備える。各テンプレートは、テンプレート中央に位置する中心穴１０、中間フレーム部１２、外フレーム部１３により構成され、これらのフレーム部は中心穴を中心にして比例的に拡大する同心状構造で各フレーム部間の間隔距離を等しくして配置され、中心穴に最も近い中間フレーム部の内側に第一連接部３１、中間フレーム部間及び中間フレーム部と外フレーム部間にそれぞれ第二連接部３２、各テンプレート間に第三連接部３３を有する。【選択図】図４
0003178961.tif 000002
【実用新案登録請求の範囲】
【請求項１】
靭性を有する透明なプラスチック薄片からなるテンプレート本体を備え、
前記テンプレート本体は、外径の異なる第一、第二テンプレートを相互に対応して有し、
前記第一、第二テンプレートはそれぞれ、テンプレート中央に位置する中心穴と、最も外周に設けられる外フレーム部と、前記中心穴を囲み且つ前記外フレーム部の内側に設けられる少なくとも１つの中間フレーム部とにより構成され、前記中間フレーム部と前記外フレーム部は前記中心穴を中心にして、比例的に拡大する同心状構造を有して配置され、前記中間フレーム部間の間隔距離、及び前記中間フレーム部と前記外フレーム部との間の間隔距離は等しく、前記中心穴に最も近い前記中間フレーム部が第一中間フレーム部とされ、当該第一中間フレーム部の内側に第一連接部を有し、前記中間フレーム部間及び前記中間フレーム部と前記外フレーム部との間にそれぞれ、前記中間フレーム部を連接し、前記中間フレーム部と前記外フレーム部を連接する第二連接部を有し、前記第一テンプレートと前記第二テンプレートとの間に前記第一、第二テンプレートの前記各外フレーム部を連接する第三連接部を有する、
ことを特徴とする模様縫い用テンプレート。
【請求項２】
前記第一、第二テンプレートの中央に内フレーム部が設けられ、前記第一連接部は前記内フレーム部と結合され、前記中心穴は前記内フレーム部の中央に位置するように設けられ、また、前記内フレーム部と前記第一中間フレーム部との間隔距離は前記各フレーム部間の間隔距離と同じで、前記第一テンプレートの前記内フレーム部の外径、前記中間フレーム部の内径と外径、前記外フレーム部の内径と外径はそれぞれ、前記第二テンプレートの前記内フレーム部の外径、前記中間フレーム部の内径と外径、前記外フレーム部の内径と外径より大きいことを特徴とする請求項１に記載の模様縫い用テンプレート。
【請求項３】
前記第一連接部は前記第一中間フレーム部の内側に当該第一中間フレーム部内の直径上で連接され、前記中心穴は前記第一連接部の中央に位置するように設けられ、また、前記第一テンプレートの前記中間フレーム部の内径と外径、前記外フレーム部の内径と外径はそれぞれ、前記第二テンプレートの前記中間フレーム部の内径と外径、前記外フレーム部の内径と外径より大きいことを特徴とする請求項１に記載の模様縫い用テンプレート。
【請求項４】
靭性を有する透明なプラスチック薄片からなるテンプレート本体を備え、
前記テンプレート本体は、テンプレート中央に位置する中心穴と、最も外周に設けられる外フレーム部と、前記中心穴を囲み且つ前記外フレーム部の内側に設けられる少なくとも１つの中間フレーム部とにより構成され、前記中間フレーム部と前記外フレーム部は前記中心穴を中心にして、比例的に拡大する同心状構造を有して配置され、前記中間フレーム部の間隔距離、及び前記中間フレーム部と前記外フレーム部との間隔距離は等しく、前記中心穴に最も近い前記中間フレーム部が第一中間フレーム部とされ、当該第一中間フレーム部の内側に第一連接部を有し、前記中間フレーム部間及び前記中間フレーム部と前記外フレーム部との間にそれぞれ、前記中間フレーム部を連接し、前記中間フレーム部と前記外フレーム部を連接する第二連接部を有する、
ことを特徴とする模様縫い用テンプレート。
【請求項５】
前記テンプレート本体の中央に内フレーム部が設けられ、前記第一連接部は前記内フレーム部と結合され、前記中心穴は前記内フレーム部の中央に位置するように設けられ、また、前記内フレーム部と前記第一中間フレーム部との間隔距離は前記各フレーム部間の間隔距離と同じであることを特徴とする請求項４に記載の模様縫い用テンプレート。
【請求項６】
前記第一連接部は前記第一中間フレーム部の内側に当該第一中間フレーム部内の直径上で連接され、前記中心穴は前記第一連接部の中央に位置するように設けられることを特徴とする請求項４に記載の模様縫い用テンプレート。
【考案の詳細な説明】
【技術分野】
【０００１】
本考案は、生地の位置に合わせ、縫製するための線を引くのに用いる模様縫い用テンプレートに関する。
【背景技術】
【０００２】
図１に従来のテンプレートを示している。図１に示すように、従来のテンプレートは、板状物本体５０を備え、当該板状物本体５０に内径の寸法の異なる複数のフレームリング５１が設けられ、当該フレームリング５１内が中空部になっている。
この板状物本体５０のフレームリング５１に設けられる中空部により、生地の図柄との位置合わせが容易になり、このフレームリング５１の内径５２を用いて生地に縫合区域の内線を簡単に引くことができ、さらに当該縫合区域の線の外周縁より大きい内径のフレームリング５１にて縫合区域の外線を引くことにより、この両線の間に生地を裁断又は縫製するのに用いる縫合区域を形成することができる。このように板状物本体５０に設けられる寸法の異なる複数のフレームリング５１により寸法の異なる生地の図柄に適用でき、縫合区域を簡単に描くことが可能となる。
【０００３】
ところで、上述のテンプレートは、寸法の異なる生地の図柄に適用できるものの、操作の際にかなり不便な点があり、重量が重いという欠点がある。また、寸法の異なるフレームリング５１は同一の板状物本体５０に設けられるため、板状物本体５０に設けられるフレームリング５１の数量も限られているので、寸法のより大きいフレームリング５１を設けようとすると、板状物本体５０は面積と重量が大幅に増加することになる。このため、テンプレート置いたり携帯したりするのに不便となり、操作するスピードも落ち、また、テンプレートの製造に当たり、板状物本体５０の材料の使いすぎにもなる。
【０００４】
このような問題を解決するために、本考案者等は先の出願で、テンプレート構造を提案し、このテンプレート構造が特許文献１により開示されている。このテンプレート構造は、図２及び図３に示すように、内側に第一中空部３０１を有する外フレーム部３Ａと、外フレーム部３Ａの第一中空部３０１に内設される内フレーム部３Ｂ及び少なくとも１つの中間フレーム部３Ｄとを備える。このテンプレート構造では、外フレーム部３Ａの内側に第一中空部３０１が設けられ、内フレーム部３Ｂの内側に第二中空部３０２が設けられてこの中空部３０２に内側の板状薄片３Ｃが設けられ、中間フレーム部３Ｄの内側に第三中空部３０３が設けられ、中間フレーム部３Ｄは外フレーム部３Ａと内フレーム部３Ｂとの間に介設される。また、各フレーム部にはさらに付記用の穴２１、糸通し穴２２、型穴２３などが配置される。これら各フレーム部の組み合わせにより平板が形成されることで材料浪費の軽減とコストの削減につながるとともに、体積が大きい、重量が重いといった欠点を排除することが可能となる。
【先行技術文献】
【特許文献】
【０００５】
【特許文献１】台湾発明特許出願公開第M404614号公報
【考案の概要】
【考案が解決しようとする課題】
【０００６】
しかしながら、当該テンプレート構造においては、各フレーム部が独立したコンポーネントであるが、その間に連接機構が設けられていないので、組立後は横置きのみ可能で、縦置きはできず、また、動かされると解体しやすく、これが携帯の不便さになっている。また、分解後はそれぞれのフレーム部がそのそばにある生地や裁縫道具などの物に覆われやすいため、紛失するという事態が生じやすい。さらに、作業中に異なるフレーム部に交換する必要があり、これが作業のスピードを落とすことにつながり、操作の不便さになっている。
【０００７】
本考案は、このような従来の問題に鑑みなされたもので、従来のテンプレートの収納しにくい、携帯するのに不便、紛失しやすいなどの問題を解決することのできる模様縫い用テンプレートを提供すること、を目的とする。
【課題を解決するための手段】
【０００８】
上記問題点を解決し、上記目的を達成するために、本考案の模様縫い用テンプレートは、靭性のある透明なプラスチック薄片であるテンプレート本体で、第一テンプレートと、前記第一テンプレートに対応して設置される第二テンプレートとを備え、前記第一テンプレートの外径が前記第二テンプレートの外径より大きく、また前記第一及び第二テンプレートでは、中央に位置する中心穴と、最も外周に設けられる外フレーム部と、前記中心穴を囲む且つ前記外フレーム部の内側にある少なくとも1つの中間フレーム部から構成され、前記中間フレーム部と前記外フレーム部は前記中心穴を中心にして、比例的に拡大する同心状構造を呈するように設置され、各前記中間フレーム部の間隔距離及び前記中間フレーム部と前記外フレーム部との間隔距離は等間隔距離であり、最も前記中心穴に近づいた前記中間フレーム部が第一中間フレーム部とされ、前記第一中間フレーム部のフレーム穴の内側に第一連接部を有し、各前記中間フレーム部の間に、及び前記中間フレーム部と前記外フレーム部との間には第二連接部により連接され、また前記第一テンプレートと前記第二テンプレートとの間には、第三連接部により前記第一及び第二テンプレートの前記外フレーム部が連接される、ことを要旨とする。
また、この模様縫い用テンプレートは、各部に次のような構成を備えることが好ましい。
（１）前記第一連接部は内フレーム部と結合され、しかも、前記中心穴が前記内フレーム部の中央に位置するように設けられ、また、前記内フレーム部と前記第一中間フレーム部との間隔距離は上述の各フレーム部らとの間の間隔距離と同じであり、なお、前記第一テンプレートにおける前記内フレーム部の外径、各前記中間フレーム部の内径と外径、前記外フレーム部の内径と外径は、それぞれ前記第二テンプレートにおける前記内フレーム部の外径、各前記中間フレーム部の内径と外径、前記外フレーム部の内径と外径より大きい。
（２）前記第一連接部は両端が前記第一中間フレーム部のフレーム穴の内径と互いに連接され、しかも前記中心穴は前記第一連接部の中央に位置するように設けられ、また、前記第一テンプレートにおける各前記中間フレーム部の内径と外径、前記外フレーム部の内径と外径は、それぞれ前記第二テンプレートにおける各前記中間フレーム部の内径と外径、前記外フレーム部の内径と外径より大きい。
【０００９】
また、上記問題点を解決し、上記目的を達成するために、本考案の模様縫い用テンプレートは、靭性のある透明なプラスチック薄片であるテンプレート本体で、中央に位置する中心穴と、最も外周に設けられる外フレーム部と、前記中心穴を囲む且つ前記外フレーム部の内側にある少なくとも1つの中間フレーム部から構成され、前記中間フレーム部と前記外フレーム部は前記中心穴を中心にして、比例的に拡大する同心状構造を呈するように設置され、各前記中間フレーム部の間隔距離及び前記中間フレーム部と前記外フレーム部との間隔距離は等間隔距離であり、最も前記中心穴に近づいた前記中間フレーム部が第一中間フレーム部とされ、前記第一中間フレーム部のフレーム穴の内側に第一連接部を有し、各前記中間フレーム部の間に、及び前記中間フレーム部と前記外フレーム部との間には第二連接部により連接される、ことを要旨とする。
また、この模様縫い用テンプレートは、各部に次のような構成を備えることが好ましい。
（１）前記第一連接部は内フレーム部と結合され、しかも、前記中心穴が前記内フレーム部の中央に位置するように設けられ、また、前記内フレーム部と前記第一中間フレーム部との間隔距離は上述の各フレーム部らとの間の間隔距離と同じである。
（２）前記第一連接部は両端が前記第一中間フレーム部のフレーム穴の内径と互いに連接され、しかも前記中心穴は前記第一連接部の中央に位置するように設けられる。
【考案の効果】
【００１０】
本考案の模様縫い用テンプレートによれば、上記の各構成により、次のような効果を奏する。
（１）各フレーム部の間に第一連接部及び第二連接部により連接されることで各フレーム部が一体化できるため、使用者にとってはそれを手に取るのにも、携帯するのにも、絵図を引くのにも利便性があるとともに、従来のテンプレートにおいて操作の不便さ、紛失又は遺失しやすいなどの問題を防ぐことが可能である。
（２）２つのテンプレートとの間には第三連接部により連接されるので、使用者にとっては２つの寸法・スペックの異なるテンプレートが使用できるため、異なる寸法の線を引くのに便利となるとともに、従来、作業中に２つの異なるテンプレートを用いて行うことによる作業スピードの落ちという欠点を排除できる。
【図面の簡単な説明】
【００１１】
【図１】従来のテンプレート構造を示す斜視図
【図２】従来の他のテンプレート構造を示す斜視図
【図３】同テンプレート構造の各部の構成を示す斜視図
【図４】本考案の第１の実施の形態に係る模様縫い用テンプレートを示す斜視図
【図５】同模様縫い用テンプレートを示す平面図
【図６】同模様縫い用テンプレートの形状の変更例を示す平面図
【図７】同模様縫い用テンプレートの形状の変更例を示す平面図
【図８】同模様縫い用テンプレートのテンプレート本体の中央の位置の構成の変更例を示す平面図
【図９】同模様縫い用テンプレートのテンプレート本体の中央の位置の構成の変更例を示す平面図
【図１０】同模様縫い用テンプレートのテンプレート本体の中央の位置の構成及び形状の変更例を示す平面図
【図１１】同模様縫い用テンプレートのテンプレート本体の中央の位置の構成及び形状の変更例を示す平面図
【図１２】本考案の第二の実施の形態に係る模様縫い用テンプレートを示す斜視図
【図１３】同模様縫い用テンプレートの形状の変更例を示す平面図
【図１４】同模様縫い用テンプレートの形状の変更例を示す平面図
【図１５】本考案の第１の実施の形態に係る模様縫い用テンプレートの使用例及び当該テンプレートの操作過程を説明するための図
【考案を実施するための形態】
【００１２】
次に、この考案を実施するための形態について図を用いて説明する。
（実施の形態１）
図４乃至図１１に本考案の第１の実施の形態を示している。
図４及び図５に示すように、この模様縫い用テンプレートは、靭性を有する透明なプラスチック薄片からなるテンプレート本体１を備える。テンプレート本体１は、第一テンプレートＣ１と、第二テンプレートＣ２を有する。第一テンプレートＣ１と第二テンプレートＣ２は互いに対応して設けられ、また、テンプレートＣ１の外径が第二テンプレートＣ２の外径より大きくなっている。
【００１３】
第一及び第二テンプレートＣ１、Ｃ２はそれぞれ、テンプレート中央に位置する中心穴１０と、最も外周に設けられる外フレーム部１３と、中心穴１０を囲み且つ外フレーム部１３の内側に設けられる少なくとも１つの中間フレーム部１２とにより構成され、中間フレーム部１２と外フレーム部１３は中心穴１０を中心にして、比例的に拡大する同心状構造を有して配置され、中間フレーム部１２間の間隔距離１４、及び中間フレーム部１２と外フレーム部１３との間の間隔距離１４は等間隔距離であり、中心穴１０に最も近い中間フレーム部１２が第一中間フレーム部１２ａとされ、この第一中間フレーム部１２ａの内側のフレーム穴内に第一連接部３１を有し、中間フレーム部１２間、及び中間フレーム部１２と外フレーム部１３との間に中間フレーム部１２を連接し、中間フレーム部１２と外フレーム部１３を連接する第二連接部３２を有し、さらに、第一テンプレートＣ１と第二テンプレートＣ２との間にこれら第一テンプレートＣ１及び第二テンプレートＣ２を連接する第三連接部３３を有する。
【００１４】
第一テンプレートＣ１及び第二テンプレートＣ２の中央にそれぞれ内フレーム部１１が設けられる。第一連接部３１は内フレーム部１１と結合され、中心穴１０は内フレーム部１１の中央に位置するように設けられる。また、内フレーム部１１と第一中間フレーム部１２ａとの間隔距離１４は上述の各フレーム部との間の間隔距離１４、すなわち、中間フレーム部１２間の間隔距離、及び中間フレーム部１２と外フレーム部１３との間の間隔距離と同じである。
【００１５】
この実施の形態では、２つの中間フレーム部１２が例示され、そのうち、中心穴１０に最も近い中間フレーム部１２が第一中間フレーム部１２ａとされ、外フレーム部１３に最も近い中間フレーム部１２が第二中間フレーム部１２ｂとされる。第一中間フレーム部１２ａと第二中間フレーム部１２ｂとの間にさらに第三中間フレーム部（図示省略）を増設することも可能である。この場合、第三中間フレーム部の数量は少なくとも１つ以上で、第一中間フレーム部１２ａと第二中間フレーム部１２ｂに比例して拡大する同心状構造を呈するように設けられる。このようにして中間フレーム部１２の数量は少なくとも１つから複数まである。
【００１６】
なお、第一テンプレートＣ１の内フレーム部１１の外径、中間フレーム部１２の内径と外径、外フレーム部１３の内径と外径はそれぞれ、第二テンプレートＣ２の内フレーム部１１の外径、中間フレーム部１２の内径と外径、外フレーム部１３の内径と外径よりも大きい。したがって、両テンプレートＣ１、Ｃ２の各フレーム部の内径と外径はそれぞれ違うので、これにより、多種多様な寸法・スペックの異なる内径と外径を生地の図柄に適用することが可能であり、絵図を引く利便性が向上する。
【００１７】
第一連接部３１と各第二連接部３２は同一直線上に互いに位置を合わせて、直線的な配列で連接される。また、つりあう２つのテンプレートＣ１、Ｃ２の両側に平行な２つの第三連接部３３が連接される。これにより、両テンプレートＣ１、Ｃ２の構造強度を補強できるため、各フレーム部が破断しにくくなる。
【００１８】
また、両テンプレートＣ１、Ｃ２の間の中央にさらに第三連接部３３が増設される。この第三連接部３３は第一連接部３１及び第二連接部３２と同一直線上に互いに位置を合わせて、直線的な配列で連接される。これにより、配列が全体的な美観を損なうことなく、両テンプレートＣ１、Ｃ２の結合強度が増加される。
【００１９】
さらに、各フレーム部が第一連接部３１と第二連接部３２により連接されることで、各フレーム部が一体化されるため、使用者にとってはそれを手に取るのにも、携帯するのにも、絵図を引くのにも利便性があるともに、従来のようにフレーム部を紛失又は遺失しやすいなどの問題を防ぐことが可能である。また、両テンプレートＣ１、Ｃ２との間は第三連接部３３により連接されるので、使用者にとっては２つの寸法・スペックの異なるテンプレートＣ１、Ｃ２を使用できるため、異なる寸法の線を引くのに便利となる。
【００２０】
両テンプレートＣ１、Ｃ２の外フレーム部１３の表面にはさらに付記用の穴２１、糸通し穴２２、型穴２３などが貫通されて配置される。これにより、中心穴１０を中心にし、パターンメーキングの際にフレーム部を回すことで、迅速に、対応する位置に位置決め又は付記を行うことができる。また、追加の測定ツールを用いる必要がないので操作手順の追加を避けることが可能である。
【００２１】
両テンプレートＣ１、Ｃ２の各フレーム部の表面にはさらに寸法マーク２４を設けることが可能である。寸法マーク２４はそれぞれ外径寸法、内径寸法、又はフレーム部の半径寸法である。使用者がこのテンプレートの操作の際に寸法マーク２４を見れば寸法がわかるので、迅速に寸法を確認することが可能となる。
【００２２】
図６、図７に２種類の異なる形状を呈する模様縫い用テンプレートを示している。図６は六角形の模様縫い用テンプレートで、図７は三角形の模様縫い用テンプレートである。また、この模様縫い用テンプレートは各テンプレートを正方形や矩形、また、八角形などにしてもよく、裁断する縫い目の形にしたがって使用するテンプレートを決めることが可能で、迅速に縫合区域の線及び縫合区域をひくことが可能である。
【００２３】
図８に図５に示すテンプレート本体１と少し異なるテンプレート本体１を示している。このテンプレート本体１が図５のテンプレート本体１との異なるのは、テンプレート本体１の中央の第一連接部３１が第一中間フレーム部１２ａのフレーム穴内の直径上に配置されて、第一連接部３１の両端が第一中間フレーム部１２ａ（の内側面）と連接され、中心穴１０は第一連接部３１の中央に位置するように設けられることにある。この場合、両テンプレートＣ１、Ｃ２の中央には内フレーム部１１がなく、第一連接部３１のみが設けられている。このことから、両テンプレートＣ１、Ｃ２の中央に内フレーム部１１がなくても本考案は実施可能であることが分かる。
【００２４】
また、図９にまた少し異なるテンプレート本体１を示している。このテンプレート本体１は第一テンプレートＣ１の中央が第一連接部３１で、中心穴１０が第一連接部３１の中央の位置に設けられ、第二テンプレートＣ２の中央が内フレーム部１１で、中心穴１０は内フレーム部１１の中央の位置に設けられる。これにより明らかにしたのは、本考案に係るテンプレートはテンプレート本体の中央に必ず中心穴１０を有するが、中心穴１０が必ずしも内フレーム部１１の中央に設けられるものではなく、第一連接部３１の中央に設けることもできることである。
【００２５】
なお、図９に示したのは円形の模様縫い用テンプレートであるが、形状の異なるテンプレートに適用可能なことはもちろんである。例えば、図１０に示すような六角形の模様縫い用テンプレートや、図１１に示すような三角形の模様縫い用テンプレートにしてもよく、さらに正方形や矩形、八角形などの模様縫い用テンプレートとすることも可能である。
【００２６】
（操作過程）
図１５に第１の実施の形態に係る模様縫い用テンプレートの使用例を示し、この模様縫い用テンプレートの操作過程を示している。
曲がった生地を裁断する際、まず、左上に掲げる図のように、直径のより大きい第一テンプレートＣ１を生地の上に置く。そして、右上に掲げる図のように、筆記具を以って第一テンプレートＣ１の中心穴１０（ＰＡ）により中心点マークＰ１を描いた後、適切なフレーム部の外径にて１つの外弧線Ｐ２を描く。次に、中央に掲げる図のように、第一テンプレートＣ１と第二テンプレートＣ２を水平に１８０度回転させることで両テンプレートＣ１、Ｃ２の位置を交換した後、第二テンプレートＣ２の中心穴１０（ＰＢ）を中心点マークＰ１の位置に合わせる。そして、左下に掲げる図のように、適切なフレーム部の外径にて１つの内弧線Ｐ３を描く。これにより、右下に掲げる図のように、第一テンプレートＣ１のフレーム部の外径Ｄが第二テンプレートＣ２のフレーム部の外径ｄと異なるため、描いた両弧線Ｐ２、Ｐ３との間に距離の差が生じる。その距離の差こそ生地を裁縫する縫い目の区域である。
【００２７】
（実施の形態２）
図１２乃至図１４に本考案の第２の実施の形態を示している。図１２に示すように、この模様縫い用テンプレートは、靭性を有する透明なプラスチック薄片からなる単一の円形状のテンプレート本体１を備える。このテンプレート本体１は、上述の図５に示す第一テンプレートＣ１又は第二テンプレートＣ２と構造的に同じで、テンプレート中央に位置する中心穴１０と、最も外周に設けられる外フレーム部１３と、中心穴１０を囲み且つ外フレーム部１３の内側に設けられる少なくとも１つの中間フレーム部１２とにより構成され、中間フレーム部１２と外フレーム部１３は中心穴１０を中心にして、比例的に拡大する同心状構造を有して配置され、中間フレーム部１２の間隔距離１４、及び中間フレーム部１２と外フレーム部１３との間隔距離は等間隔距離であり、中心穴１０に最も近い中間フレーム部１２が第一中間フレーム部１２ａとされ、この第一中間フレーム部１２ａの内側のフレーム穴に第一連接部３１を有し、中間フレーム部１２間、及び中間フレーム部１２と外フレーム部１３との間にそれぞれ、中間フレーム部１２を連接し、中間フレーム部１２と外フレーム部１３を連接する第二連接部３２を有する。
【００２８】
テンプレート本体１の中央に内フレーム部１１が設けられる。第一連接部３１は内フレーム部１１と結合され、中心穴１０は内フレーム部１１の中央に位置するように設けられる。また、内フレーム部１１と第一中間フレーム部１２ａとの間隔距離１４は上述の各フレーム部間の間隔距離１４、すなわち、中間フレーム部１２間の間隔距離、及び中間フレーム部１２と外フレーム部１３との間の間隔距離と同じである。
【００２９】
なお、テンプレート本体１の中央には内フレーム部１１がなく、第一連接部３１のみが設けられてもよい。この場合、第一連接部３１は第一中間フレーム部１２ａのフレーム穴内の直径上に配置されて、第一連接部３１の両端が第一中間フレーム部１２ａ（の内側面）と連接され、中心穴１０は第一連接部３１の中央に位置するように設けられる。
【００３０】
この第２の実施の形態に係るテンプレート本体１は単一のテンプレートで、上述の第１の実施の形態に比べて、テンプレートの数量が１つ少ないものの、使用する際はより便利で且つ手が引っかかりにくいという効果がある。
【００３１】
図１２に示す模様縫い用テンプレートは円形のテンプレートであるが、このテンプレートは形状の異なるテンプレートにももちろん適用可能である。例えば、図１３に示すような六角形の模様縫い用テンプレート、図１４に示すような三角形の模様縫い用テンプレートにしてもよく、正方形や矩形、八角形などの模様縫い用テンプレートとすることも可能である。
【００３２】
なお、この第２の実施の形態に係る模様縫い用テンプレートの使用例については特に図示していないが、その操作過程は第１の実施の形態で説明したとおりである。すなわち、まず外径のより大きい第一テンプレートＣ１を以って外弧線Ｐ２を描いた後、第二テンプレートＣ２を以って内弧線Ｐ３を描く。この手順は反対でもよく、第二テンプレートＣ２を以って内弧線Ｐ３を描いた後、第一テンプレートＣ１を以って外弧線Ｐ２を描いてもよい。このようにして描いた両弧線Ｐ２、Ｐ３との間に生じる距離の差が生地を裁縫する縫い目の区域となる。
【００３３】
なお、上述では本考案の好ましい実施例を開示したに過ぎず、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３４】
１  テンプレート本体
Ｃ１  第一テンプレート
Ｃ２  第二テンプレート
１０  中心穴
１１  内フレーム部
１２  中間フレーム部
１２ａ  第一中間フレーム部
１２ｂ  第二中間フレーム部
１３  外フレーム部
１４  間隔距離
２１  付記用の穴
２２  糸通し穴
２３  型穴
２４  寸法マーク
３１  第一連接部
３２  第二連接部
３３  第三連接部
３Ａ  外フレーム部
３Ｂ  内フレーム部
３Ｃ  内側の板状薄片
３Ｄ  中間フレーム部
３０１  第一中空部
３０２  第二中空部
３０３  第三中空部
Ｄ  第一テンプレートのフレーム部の外径
ｄ  第二テンプレートのフレーム部の外径
ＰＡ  第一テンプレートの中心穴
ＰＢ  第二テンプレートの中心穴
Ｐ１  中心点マーク
Ｐ２  外弧線
Ｐ３  内弧線
５０  板状物本体
５１  フレームリング
５２  内径
【図１】
0003178961.tif 000003
【図２】
0003178961.tif 000004
【図３】
0003178961.tif 000005
【図４】
0003178961.tif 000006
【図５】
0003178961.tif 000007
【図６】
0003178961.tif 000008
【図７】
0003178961.tif 000009
【図８】
0003178961.tif 000010
【図９】
0003178961.tif 000011
【図１０】
0003178961.tif 000012
【図１１】
0003178961.tif 000013
【図１２】
0003178961.tif 000014
【図１３】
0003178961.tif 000015
【図１４】
0003178961.tif 000016
【図１５】
0003178961.tif 000017